(57)【要約】      （修正有）【課題】超音波あるいは特殊光を発生することによって、ネズミ類を欺いて駆除する、緑色光ネズミ駆除装置を提供する。【解決手段】ケース体と、前記ケース体の内部に設けられた制御回路３とからなる。前記制御回路は、電源変換供給回路と、レギュレータＩＣと、増幅回路と、制御ボタンと、超音波発振回路と、ロジック判断回路と、前記ロジック判断回路と連結するとともにその制御を受ける複数の緑色光ＬＥＤ３４とからなる。前記制御回路は、前記制御ボタンの切り換え制御を通して、超音波あるいは特殊光を発生する。【選択図】図１
0003183955.tif 000002
【実用新案登録請求の範囲】
【請求項１】
ケース体と、前記ケース体の内部に設けられた制御回路とからなる緑色光ネズミ駆除装置であって、
前記制御回路は、電源変換供給回路と、レギュレータＩＣと、増幅回路と、制御ボタンと、超音波発振回路と、ロジック判断回路と、前記ロジック判断回路に連結されるとともにその制御を受ける複数の緑色光ＬＥＤとからなり、
前記制御回路は、前記制御ボタンの切り換え制御を通して、超音波あるいは特殊光を発生することによって、ネズミ類を欺いて駆除することを特徴とする、緑色光ネズミ駆除装置。
【請求項２】
前記電源変換供給回路には、複数のダイオードが組み合わされてなるブリッジ整流器が設けられることを特徴とする、請求項１に記載の緑色光ネズミ駆除装置。
【請求項３】
前記増幅回路は、ダーリントン増幅回路を使用することを特徴とする、請求項１に記載の緑色光ネズミ駆除装置。
【請求項４】
複数の前記緑色光ＬＥＤは、特殊光の波長を有することを特徴とする、請求項１に記載の緑色光ネズミ駆除装置。
【考案の詳細な説明】
【技術分野】
【０００１】
本考案は、ネズミ駆除のための技術に関し、特に、調理場・住宅・工場・オフィスといった場所において使用されるとともに、特殊光の波長がネズミ類の視覚を妨害することにより、外に出て餌を探すことができないようにしてネズミを駆除することができる、緑色光ネズミ駆除装置に関する。
【背景技術】
【０００２】
ネズミは、家具や農作物を荒らしたり、食物を盗んだり、病気を撒き散らしたりするというように、人に害をなす動物である。よって、ネズミ駆除のために、多様な捕鼠器、殺鼠剤が使用されているほか、駆除を目的とした駆除装置も作られている。
【０００３】
ネズミ駆除装置を例に取ると、従来の超音波ネズミ駆除装置は、いずれも発振回路によって超音波の周波数を発生させるものであり、超音波ネズミ駆除装置を特定の場所に置いて、音波によってネズミに不快感を与えて駆除することを目的としている。しかし、この種の従来技術による製品は、一般的な単一周波数の超音波変換機を採用しているため、強力な音圧を発生させることができるものの、単一周波数の音波形  （Ｐａｔｔｅｒｎ）しか出力できないので、繰り返して一定期間使用すると、ネズミが容易に適応してしまい、長期的には、ネズミ駆除の効果が薄れてしまう。科学的研究によれば、ネズミは夜行性であり、主に聴覚と嗅覚に頼って摂食・行動する。聴覚や嗅覚に比べると、ネズミの視力は極めて弱いうえに、主な役割は、光線の中のある一つの波長の光線を探測することによって、外に出て行動するかを判断することだけである。しかし、この方面におけるネズミ駆除装置は発表されておらず、改善の余地がある。
【考案の概要】
【考案が解決しようとする課題】
【０００４】
上記に鑑み、本考案者は、特殊光の波長がネズミの視覚を妨害することにより、外に出て餌を探すことができないようにして、ネズミを駆除することができる緑色光ネズミ駆除装置を消費者に提供するという動機のもと、研究と設計に潜心した。
【０００５】
本考案は、特殊光の波長がネズミ類の日中や夜間の判断能力を妨害し、外に出て餌を探すことができないようにすることによって、ネズミを駆除することができる、緑色光ネズミ駆除装置を提供することを目的とする。
【課題を解決するための手段】
【０００６】
上述の目的を達成するため、本考案の緑色光ネズミ駆除装置は、ケース体と、前記ケース体の内部に設けられた制御回路とからなる。前記制御回路は、電源変換供給回路と、レギュレータＩＣと、増幅回路と、制御ボタンと、超音波発振回路と、ロジック判断回路と、前記ロジック判断回路に連結されるとともにその制御を受ける複数の緑色光ＬＥＤとからなる。前記制御回路は、前記制御ボタンの切り換え制御を通して、超音波あるいは特殊光を発生する。以上の構造によって、ネズミ類を欺いて駆除するという目的を達成する。
【０００７】
上述の緑色光ネズミ駆除装置における前記電源変換供給回路には、複数のダイオードが組み合わされてなるブリッジ整流器が設けられる。
【０００８】
上述の緑色光ネズミ駆除装置における前記増幅回路は、ダーリントン増幅回路を使用する。
【０００９】
上述の緑色光ネズミ駆除装置における複数の前記緑色光ＬＥＤは、特殊光の波長を有する。
【００１０】
上述の構造を備えた緑色光ネズミ駆除装置は、従来の技術に比べて以下の利点がある。
１、配線工事が必要なく、どのようなコンセントにも差し込むだけですぐに使用することができる。
２、物理的な駆除方法を使用するため、薬害が全くない。また、化学薬品を使用しないので、環境に対する二次汚染を引き起こさず、安全で衛生的である。
３、ネズミ防除に特化しており、発生した超音波及び光は全て安全な範囲内にあるため、人や家畜に対して健康上の影響を及ぼすことがない。よって、長時間の使用が可能であり、効果的にネズミを駆除することができる。
【図面の簡単な説明】
【００１１】
【図１】本考案の実施例の素子の分解図である。
【図２】本考案の実施例の外観の斜視図である。
【図２ａ】本考案の実施例の外観を別の角度から示した斜視図である。
【図３】本考案の実施例の詳細な電子回路図である。
【図４】本考案の実施例の詳細な電子回路図である。
【考案を実施するための形態】
【００１２】
図１、図２、図２ａを参照する。本考案の緑色光ネズミ駆除装置１は、ケース体と、前記ケース体の背面に設けられた電源プラグ１１と、ケース体の左右両側にそれぞれ設けられた開閉スイッチ１２及び電源コンセント１６と、前記ケース体の前表面に設けられた制御ボタン１３及び透明ウインドウ１４及びスピーカ孔１５と、前記ケース体の内部に設けられた制御回路３とからなる。制御回路３には、電源変換供給回路３１が設けられる。
【００１３】
図３、図４を参照する。電源変換供給回路３１は、レギュレータＩＣ３２と、増幅回路３３と、複数の緑色光ＬＥＤ３４と、制御ボタン１３と、超音波発振回路３６と、ロジック判断回路３５とからなる。
【００１４】
電源変換供給回路３１は、主に、４個のダイオードが組み合わされてなるブリッジ整流器によって、交流電気を直流電気に変換する。変換された直流電気は、レギュレータＩＣ３２によって安定した電圧にされてから、増幅回路３３によって増幅された後に、複数の緑色光ＬＥＤ３４に送られて使用される。本実施例における増幅回路３３は、二つのトランジスタと、二つの電気抵抗と、ダイオードと、コンデンサとが組み合わされてなるダーリントン増幅回路である。緑色光ＬＥＤ３４は、特殊な波長の緑色光ダイオードからなるとともに、ロジック判断回路３５の制御を受けることにより、自動明滅や、長時間点灯の機能を担う。
【００１５】
また、制御回路３には、更に、マイナスイオン清浄機が設けられるとともに、制御ボタン１３の切り換えによって、例えば、超音波発振回路３６によって高パワーの超音波を空気中に発生させて室内で反射させる、あるいは、緑色光ＬＥＤ３４によって特殊な波長の光波を発生させる、といった異なる機能に変化させることができる。この構造によって、効果的にネズミの接近を防止するとともに、ナイトライトとしても使用できる。また、前記マイナスイオン清浄機から発生したマイナスイオンは、空気清浄に加えて、空気中の食物や異臭を除去することによって、ネズミが臭いに誘われて出てくる可能性を低下させる。
【００１６】
このほかにも、緑色光ネズミ駆除装置１をコンセントに差し込んだ時、ケース体にある電源コンセント１６にほかの電気機器を差し込んで使用することができるので、電気使用の機能において、良好な実用性を達成する。
【００１７】
以上を総じて言うと、本考案の緑色光ネズミ駆除装置の特長は、緑色光ＬＥＤから発生した特殊光の波長がネズミ類の日中や夜間の判断能力を妨害し、外に出て餌を探すことができないようにすることによって、ネズミを駆除するという目的を達成することにある。
【符号の説明】
【００１８】
１            緑色光ネズミ駆除装置
１１   電源プラグ
１２   開閉スイッチ
１３   制御ボタン
１４   ウインドウ
１５   スピーカ孔
１６   電源コンセント
３            制御回路
３１   電源変換供給回路
３２   レギュレータＩＣ
３３   増幅回路
３４   緑色光ＬＥＤ
３５   ロジック判断回路
３６   超音波発振回路
【図１】
0003183955.tif 000003
【図２】
0003183955.tif 000004
【図２ａ】
0003183955.tif 000005
【図３】
0003183955.tif 000006
【図４】
0003183955.tif 000007